(57)【要約】【課題】いかなる場所からでも自由に就職模擬試験を受けることが可能であり、自身の就職活動における全国規模のレベル（就職偏差値）および、志望企業への内定判定、業界への適応率などを定量的に測定することが可能なシステムを提供する。【解決手段】通信回線網（インターネット等）を利用することにより、供給者は、空間的、時間的、物質的、人的な軽減が計れ、利用者は、自身の望む場所、望む時間に模擬試験を受験することが可能となり、また、試験結果が定量的に明示されることから、戦略的な就職活動を行うことが可能となる。【選択図】図１
2008165162.tif 000002
【特許請求の範囲】
【請求項１】
通信回線網（インターネット等）を利用することにより供給者（主催者）は、試験会場の確保、教材の準備、人員の確保等の軽減を計ることができる。利用者は、受験するための手続き（入会、申し込み、来場）などを一切せずに、自由に参加することが可能である。また、公開模擬試験のように会場の場所や試験日程等に定めがなく、２４時間、３６５日、利用者は誰でも自由に受験することが可能である。さらには、一度だけではなく、何度でも重複して受験することが可能なシステムである。
【請求項２】
供給者のサーバー内には、就職試験に出題される問題が蓄積されており、利用者のレベルにあわせた問題が出題されるシステムである。
【請求項３】
供給者のサーバー内には、同一科目に、異なった試験問題が多数蓄積されており、複数受験が発生した場合においても、利用者毎に異なる試験問題が出題することが可能なシステムである。
【請求項４】
供給者のサーバー内にあるデータベースにおいて、受験生の答案を解答に基づき照合し、また、個人の属性を考慮し、就職偏差値、志望企業の内定判定、業界適応率、各科目の点数が算出することが可能なシステムである。
【発明の詳細な説明】
【技術分野】
【０００１】本発明は、通信回線網（インターネット等）を利用することにより、供給者（主催者）が、会場、人員、日程等を問わずに、利用者（不特定多数者）が自由に就職模擬試験を受験できるシステムである。
【背景技術】
【０００２】従来、就職模擬試験を受けるには供給者（主催者）が、会場、人員、日程等を設定し、受験者及び関係者が申し込みを行って受験する仕組みであった。また、同一科目で異なった問題を回答する場合には、市販の問題集を購入するか、もしくは特定の機関に通い勉強するしかなかった。そして、従来の就職模擬試験では、科目毎の点数は出るが、全国平均の偏差値や志望企業の内定判定といった、就職活動における定量的な基準については明示されていなかった。
【発明の開示】
【発明が解決しようとする課題】
【０００３】従来の就職模擬試験は、受験者及び利用者が申し込みを行い、供給者（主催者）が指定した日時および会場に行き、受験をする仕組みであった。そのため、参加者が多い場合、もしくは、グループでの参加を希望した場合には、同一場所での受験は難しく、地理的、時間的な制約も伴っていた。そして、指定された日時、会場以外での受験が不可能であったため、同一試験を二回以上受験することは難しかった。また、従来の通信回線網（インターネット等）を利用した学習システムは、特定機関への入会または、加入者のみを対象としており、一般参加（不特定多数者）は難しかった。さらに、科目毎の点数が表示されるだけであり、全国規模の偏差値や志望企業への内定判定については明確に示されていなかった。そこで、本発明では、インターネット等の普及により発展し続けている通信回線網手段（パソコン等）を活用し、利用者が場所や時間に関係なく、自由に受験することが可能となり、自身の就職活動におけるレベルを全国規模の偏差値や志望企業の内定判定、業界適応率を知ることができるシステムを提供する。
【課題を解決しようとする手段】
【０００４】利用者は、会場、日程を定めることなく、２４時間、３６５日、自由に就職模擬試験を受験することが可能である。供給者は、サーバーのデータベース内にて、利用者の答案に基づいて解答を照合し、また、あわせて個人の属性を考慮しながら、就職偏差値、志望企業の内定判定、業界適応率、各科目の点数を算出する。利用者は、これまでのような煩雑な特定機関への入会等の必要はなく、通信回線網（インターネット等）を使用したパソコン等の端末機器が利用できれば、日程や場所を気にせず、自由に何度でも受験が可能である。
【発明の効果】
【０００５】本発明のインターネットを利用した就職模擬試験は、通信回線網（インターネット等）を利用することにより、供給者は、会場、教材準備、人員確保等の軽減が計れ、利用者は、特定機関への入会、試験場所へ移動、試験開始時間の制約等を気にすることなく、自分の裁量で模擬試験を受験することが可能である。
【発明を実施するための最良の形態】
【０００６】以下に、図面を参照しながら、本発明に関わるインターネットを利用した就職模擬試験について説明する。図１は、本発明によるインターネットを利用した就職模擬試験の全体構成の概略を示す。本システムは、供給者ＡのサーバーＤと利用者Ｂ（不特定多数）のコンピュータＦが通信回線網Ｃ（インターネット等）によって双方向に結ばれている。利用者Ｂは、通信回線網Ｃを利用し、供給者Ａが提供するホームページにアクセスし、利用者Ｂの携帯電話のメールアドレスを入力することで、供給者ＡのサーバーＥからから受験番号が送信される。利用者Ｂの管理については、受験番号も含め、供給者ＡのサーバーＥで行う。利用者Ｂは、携帯電話Ｇにて受験番号を確認し、ホームページに受験番号を入力し、試験を開始する。供給者ＡのサーバーＤでは、利用者Ｂが入力した受験番号を確認し、試験問題を利用者Ｂに配信する。利用者Ｂは、問題を解答し、最後に属性データを入力する。供給者Ａでは、利用者ＢのコンピュータＦより送信された、解答と属性データを受信し、サーバーＤで採点を行い、採点結果および属性データをサーバーＥに送信する。サーバーＥでは、送信されたデータから全国規模の就職偏差値、志望企業の内定判定、業界適応率を算出し、算出結果をプリントアウトする。供給者Ａは、プリントアウトされた用紙を、利用者Ｂに郵便にて送付する。利用者Ｂは、供給者Ａより送付された用紙を受け取り、今後の就職活動に役立てる。図２は、供給者Ａのデータベースの概略を示す。サーバーＤとサーバーＥは、ネットワークからなるコンピュータシステムを構成しており、サーバーＤには、試験問題のデータベースａと解答のデータベースｂが保管されており、サーバーＥには、性別のデータベースｃ、年齢のデータベースｄ、留年のデータベースｅ、学校・学部・学科のデータベースｆ、専攻のデータベースｇ、企業のデータベースｈ、業界のデータベースｉ、業界別必要資格のデータベースｊ、資格影響のデータベースｋ、基礎能力のデータベースｌ、偏差値算出１のデータベースｍ、偏差値算出２のデータベースｎ、偏差値算出３のデータベースｏ、試験結果影響のデータベースｐ、内定判定のデータベースｑが保管されており、これらを基に就職偏差値ｕ、内定判定ｗ、業界適応率ｖを算出している。また、システム全体を機能させるための、システム関連のデータベースｒもサーバーＥには保管されている。図３は、就職模擬試験の受験番号取得の概略を示す。利用者Ｂは、コンピュータＦにて、携帯電話のメールアドレスを入力し、供給者ＡのサーバーＤに送信する。供給者ＡのサーバーＤでは、利用者Ｂのメールアドレスを受信後、サーバーＥにメールアドレスを転送する。サーバーＥでは、メールアドレスを受信すると同時に、受験番号を発行し、発行終了と同時に、利用者Ｂの携帯電話Ｇに受験番号を送信する。利用者Ｂは、携帯電話画面２のように、受験番号を取得する。また、サーバーＥでは、受験番号の発行後、管理画面１にあるように、利用者Ｂのデータを登録する。利用者Ｂの携帯電話に受験番号を送信することで、利用者ＢのコンピュータＦに不具合が生じた場合でも、受験番号を再取得する必要はなく、同じ受験番号で受験が可能となる。図４は、就職模擬試験の問題画面の概略を示す。利用者Ｂは、一例で示されているような画面３の問題を、制限時間内に解答していく。問題の解答は、表示された選択肢を選び、ｏｋをクリックすることで、次の問題へと進む。利用者Ｂが、制限時間を超過した場合には、時間を超過したとのメッセージが画面４のように表示され、次へをクリックすると、次の科目が開始される。全ての科目が終了した場合は、画面５のように、試験終了を示すメッセージが表示される。図５は、就職模擬試験の問題中の管理の概略を示す。供給者ＡのサーバーＤでは、利用者Ｂに試験問題を配信した時点で、サーバーＥに試験が開始されたメッセージを送信する。サーバーＥでは、サーバーＤからのメッセージを受信した段階で、管理画面６のテスト状態をテスト前からテスト中へと表示を変更する。管理画面にて、利用者Ｂの状態を把握しておくことで、利用者Ｂからの問い合わせ等に迅速に対応でき、また供給者Ａの管理による人員確保等を軽減することが可能となる。図６は、就職模擬試験の属性入力の概略を示す。利用者Ｂは、試験終了後、コンピュータＦにて、利用者Ｂの属性を入力する。画面７では、氏名（カナ）、氏名（漢字）、住所、電話番号、学校、学部・学科、留学年数、留年年数を入力する。次へをクリックすると、画面８へと進む。画面８は、資格を入力する画面である。資格カテゴリーを選択すると、該当する資格が資格欄に表示され、資格欄に表示された資格をクリックすると入力となる。資格は最大５つまで入力が可能である。入力が完了したら、次へをクリックし、画面９へと進む。画面９は、志望企業を入力する画面である。業界カテゴリーを選択すると、該当する企業が企業欄に表示される。企業欄から、志望企業をクリックすると入力となる。志望企業は最大５つまで入力が可能である。入力が完了したら、次へをクリックすると画面１０となり、終了となる。図７は、就職模擬試験の試験完了後の管理の概略を示す。利用者Ｂが、コンピュータＦにより、属性データの入力が終了すると、供給者ＡのサーバーＤでは、解答のデータベースｂを用いて、採点を行う。採点後、サーバーＤからサーバーＥに採点結果および属性データを送信する。サーバーＥでは、サーバーＤからのデータを受信した段階で、管理画面１１のように属性データを登録し、テスト状態をテスト中からテスト完了へと変更する。管理画面１１への登録が終了した段階で、供給者ＡのサーバーＥから、利用者Ｂの携帯電話Ｇへ、携帯電話画面１２のように試験完了のメッセージを送信する。利用者Ｂの携帯電話Ｇに完了のメッセージを送信することで、利用者ＢのコンピュータＢに不具合が生じた場合であっても、その後の問い合わせなどが携帯電話Ｇのメールを通じて行うことが可能となる。図８は、就職模擬試験の結果算出のフローチャートの概略である。供給者ＡのサーバーＥでは、サーバーＤから送信された採点結果を基に、基礎能力のデータベース１と試験結果影響のデータベースｐから基礎能力値ｓを算出する。また、サーバーＤより送られた属性データを基に、性別のデータベースｃ、年齢のデータベースｄ、留年のデータベースｅ、学校・学部・学科のデータベースｆ、専攻のデータベースｇから属性能力値ｔを算出する。基礎能力値ｓに、偏差値算出１のデータベースｍと偏差値算出２のデータベースｎを加えたものと、属性能力値ｔに、資格影響のデータベースｋと偏差値算出３のデータベースｏを加えたものから、就職偏差値ｕを算出する。属性データを基に、業界のデータベースｈと業界別必要資格のデータベースｊを加え、さらに属性能力値ｔと就職偏差値ｕを合わせ、業界適応率ｖを算出する。最後に、業界適応率ｖに、企業のデータベースｉと内定判定のデータベースｑを加え、内定判定ｗを算出する。図９は、就職模擬試験の結果送付の概略である。供給者ＡのサーバーＥで算出した結果については、用紙にプリントアウトし、郵便Ｈによって、利用者Ｂに送付する。また、サーバーＥでは、管理画面１３の印刷を、見完了から印刷済みに変更する。結果を送付することで、利用者Ｂは、自身でプリントアウトする必要がなくなる。また、利用者ＢのコンピュータＦに依存せず、結果を自由に持ち運ぶことが可能となる。
【図面の簡単な説明】
【０００７】
【図１】  インターネットを利用した就職模擬試験の全体構成の概略を示す図である
【図２】  供給者Ａのデータベースの概略を示す図である
【図３】  就職模擬試験の受験番号取得の概略を示す図である
【図４】  就職模擬試験の問題画面の概略を示す図である
【図５】  就職模擬試験の問題中の管理の概略を示す図である
【図６】  就職模擬試験の属性入力の概略を示す図である
【図７】  就職模擬試験の試験完了後の管理の概略を示す図である
【図８】  就職模擬試験の結果算出のフローチャートの概略を示す図である
【図９】  就職模擬試験の結果送付の概略を示す図である
【符号の説明】
【０００８】Ａ  供給者
Ｂ  利用者
Ｃ  通信回線網（インターネット等）
Ｄ  供給者のサーバー
Ｅ  供給者のサーバー
Ｆ  利用者のコンピュータ
Ｇ  利用者の携帯電話
ａ  試験問題のデータベース
ｂ  解答のデータベース
ｃ  性別のデータベース
ｄ  年齢のデータベース
ｅ  留年のデータベース
ｆ  学校・学部・学科のデータベース
ｇ  専攻のデータベース
ｈ  企業のデータベース
ｉ  業界のデータベース
ｊ  業界別必要資格のデータベース
ｋ  資格影響のデータベース
ｌ  基礎能力のデータベース
ｍ  偏差値算出１のデータベース
ｎ  偏差値算出２のデータベース
ｏ  偏差値算出３のデータベース
ｐ  試験結果影響のデータベース
ｑ  内定判定のデータベース
ｒ  システム関連のデータベース
ｓ  基礎能力値
ｔ  属性能力値
ｕ  就職偏差値
ｖ  業界適応率
ｗ  内定判定
１  供給者ＡのサーバーＥの管理画面
２  利用者Ｂの携帯電話画面
３  利用者ＢのコンピュータＦにおける画面
４  利用者ＢのコンピュータＦにおける画面
５  利用者ＢのコンピュータＦにおける画面
６  供給者ＡのサーバーＥの管理画面
７  利用者ＢのコンピュータＦにおける画面
８  利用者ＢのコンピュータＦにおける画面
９  利用者ＢのコンピュータＦにおける画面
１０  利用者ＢのコンピュータＦにおける画面
１１  供給者ＡのサーバーＥの管理画面
１２  利用者Ｂの携帯電話画面
１３  供給者ＡのサーバーＥの管理画面
【図１】
2008165162.tif 000003
【図２】
2008165162.tif 000004
【図３】
2008165162.tif 000005
【図４】
2008165162.tif 000006
【図５】
2008165162.tif 000007
【図６】
2008165162.tif 000008
【図７】
2008165162.tif 000009
【図８】
2008165162.tif 000010
【図９】
2008165162.tif 000011